(57)【特許請求の範囲】
【請求項１】
音高がそれぞれ割り当てられていて、演奏者によって押離鍵操作されて揺動する複数の鍵と、
前記複数の鍵に係合して前記複数の鍵をそれぞれ支持する複数の支持部材と、
前記複数の支持部材を支持するフレームとを備えた鍵盤装置において、
前記複数の支持部材の前後方向の位置を、それぞれ支持する鍵に割り当てられた音高に応じて設定し、
樹脂成型によって形成された鍵基材であって、前記複数の鍵のうちの少なくとも２つの鍵に共通の鍵基材の後端部における、前記少なくとも２つの鍵にそれぞれ割り当てられた音高に応じた位置に、前記支持部材に係合する係合部を追加して、前記少なくとも２つの鍵を形成したことを特徴とする鍵盤装置。
【請求項２】
請求項１に記載の鍵盤装置において、
前記鍵基材の後端部に前記係合部として切り欠き部を形成したことを特徴とする鍵盤装置。
【請求項３】
請求項１に記載の鍵盤装置において、
前記支持部材に係合する係合部材を、前記鍵基材の後端部に組み付けて前記係合部を形成したことを特徴とする鍵盤装置。
【請求項４】
請求項３に記載の鍵盤装置において、
前記鍵基材に、同一形状の凹凸を前後方向に繰り返し形成した第１凹凸部を設け、
前記係合部材を、前記第１凹凸部に嵌合させたことを特徴とする鍵盤装置。
【請求項５】
請求項４に記載の鍵盤装置において、
隣り合う２つの鍵の前記第１凹凸部をそれぞれ構成する凹凸の前後方向の位置が一致しないように、前記凹凸を前後方向にずらしたことを特徴とする鍵盤装置。
【請求項６】
請求項４に記載の鍵盤装置において、
所定の音域に属する鍵をそれぞれ支持する支持部材の前後方向の位置を同一とし、前記所定の音域に属する鍵をそれぞれ支持する支持部材と前記係合部材との係合部を互いに前後方向にずらしたことを特徴とする鍵盤装置。
【請求項７】
請求項６に記載の鍵盤装置において、
前記所定の音域に属する鍵にそれぞれ組み付ける係合部材は、前記支持部材との係合部が前後方向にずれた互いに種類の異なる部材であって、前記係合部材の種類を識別する識別子を前記係合部材に設けたことを特徴とする鍵盤装置。
【請求項８】
請求項１乃至７のうちのいずれか１つに記載の鍵盤装置において、
前記支持部材は、前記フレームに組み付けられていることを特徴とする鍵盤装置。
【請求項９】
請求項８に記載の鍵盤装置において、
前記フレームに、同一形状の凹凸を前後方向に繰り返し形成した第２凹凸部を設け、
前記支持部材を、前記第２凹凸部に嵌合させたことを特徴とする鍵盤装置。
【請求項１０】
請求項９に記載の鍵盤装置において、
隣り合う２つの鍵を支持する支持部材をそれぞれ組み付ける隣り合う２つの前記第２凹凸部をそれぞれ構成する凹凸の前後方向の位置が一致しないように、前記凹凸を前後方向にずらしたことを特徴とする鍵盤装置。
【請求項１１】
請求項１乃至１０のうちのいずれか１つに記載の鍵盤装置において、
前記複数の鍵に割り当てられた音高を表す識別子を、前記複数の鍵にそれぞれ設けたことを特徴とする鍵盤装置。
【発明の詳細な説明】
【技術分野】
【０００１】
本発明は、電子オルガン、電子ピアノなどの電子楽器の鍵盤装置に関する。
【背景技術】
【０００２】
従来から、例えば、下記特許文献１に示されているように、アコースティックピアノの鍵タッチ感（押離鍵操作に対する反力）を模擬するために、割り当てられた音高が高い鍵ほど、鍵の前端の鍵タッチ感を軽くした電子楽器の鍵盤装置は知られている。この鍵盤装置においては、鍵にそれぞれ係合して揺動し、それぞれの鍵の押離鍵操作に対する反力を付与する複数のハンマーを備えている。そして、低音部の鍵から高音部の鍵に向かうに従って、後端部に設けられた鍵の揺動中心から鍵の前端までの長さを徐々に長くしている。また、鍵の揺動中心から、ハンマーと鍵との係合位置までの距離を、全ての鍵について同一にしている。
【先行技術文献】
【特許文献】
【０００３】
【特許文献１】特許３０７４７９４号公報
【発明の概要】
【０００４】
上記のように、鍵ごとに、鍵の揺動中心から鍵の前端までの長さが異なると、鍵を樹脂成形によって一体的に形成するためには、鍵ごとに金型を製作する必要が有り、コストがかかる。
【０００５】
本発明は上記問題を解決するためになされたものであり、その目的は、割り当てられた音高が異なる少なくとも２つの鍵の揺動中心から鍵の前端までの長さを異ならせた鍵盤装置のコストを削減することにある。なお、下記本発明の各構成要件の記載においては、本発明の理解を容易にするために、実施形態の対応箇所の符号を括弧内に記載しているが、本発明の各構成要件は、実施形態の符号によって示された対応箇所の構成に限定解釈されるべきものではない。
【０００６】
前記目的を達成するため、本発明の特徴は、音高がそれぞれ割り当てられていて、演奏者によって押離鍵操作されて揺動する複数の鍵（１１ｗ，１１ｂ）と、複数の鍵に係合して複数の鍵をそれぞれ支持する複数の支持部材（ｓｆ，ｅｆ，ｓｇ，ｅｇ）と、複数の支持部材を支持するフレーム（１２，１２Ａ）とを備えた鍵盤装置において、複数の支持部材の前後方向の位置を、それぞれ支持する鍵に割り当てられた音高に応じて設定し、樹脂成型によって形成された鍵基材であって、複数の鍵のうちの少なくとも２つの鍵に共通の鍵基材（１１Ｗ，１１Ｂ）の後端部における、前記少なくとも２つの鍵にそれぞれ割り当てられた音高に応じた位置に、前記支持部材に係合する係合部（ｓｋ，ｅｋ，ｃｔ，ｅｊ）を追加して、前記少なくとも２つの鍵を形成したことにある。この場合、前記鍵基材の後端部の一部に前記係合部として切り欠き部（ｓｋ，ｃｔ）を形成するとよい。また、この場合、支持部材に係合する係合部材（ｅｋ，ｅｊ）を、鍵基材の後端部に組み付けて前記係合部を形成してもよい。
【０００７】
上記のように構成すれば、電子楽器の種類に応じて、係合部を設ける位置を異ならせることにより、鍵タッチ感の特性の異なる鍵盤装置を構成できる。このように、鍵基材を、複数種類の鍵盤装置において共通に用いることができるので、前記複数種類の鍵盤装置全体として初期費用を削減できる。また、部品の種類を減らすことができるので、部品の管理費を削減できる。
【０００８】
また、鍵基材は、割り当てられた音名が同じであって、かつオクターブ番号が異なる鍵の形成に共通に用いられる。したがって、１オクターブの音域に属する１２種類の鍵を成形する金型を製作すればよく、これらの金型によって成形した鍵は、オクターブ番号が異なる鍵の形成に用いることができる。すなわち、上記のように構成すれば、揺動中心から前端までの距離が異なる鍵ごとに金型を製作する場合に比べて、初期費用を削減できる。
【０００９】
また、本発明の他の特徴は、鍵基材に、同一形状の凹凸を前後方向に繰り返し形成した第１凹凸部を設け、係合部材を、第１凹凸部（ＵＫ）に嵌合させたことにある。これによれば、係合部材の位置ずれを防止して、各鍵の揺動中心の前後方向の位置を正確に設定することができる。
【００１０】
また、本発明の他の特徴は、隣り合う２つの鍵の第１凹凸部をそれぞれ構成する凹凸の前後方向の位置が一致しないように、前記凹凸を前後方向にずらしたことにある。これによれば、隣り合う２つの鍵において、係合部材の位置を、凹凸のピッチよりも小さな距離だけずらすことができる。すなわち、揺動中心から鍵の先端までの距離をより微妙に調整できる。
【００１１】
また、本発明の他の特徴は、所定の音域に属する鍵をそれぞれ支持する支持部材（ｅｆ１，ｅｆ２，ｅｆ３）の前後方向の位置を同一とし、前記所定の音域に属する鍵をそれぞれ支持する支持部材と係合部材（ｓｋ１，ｓｋ２，ｓｋ３）との係合部を互いに前後方向にずらしたことにある。これによっても、揺動中心から鍵の先端までの距離をより微妙に調整できる。
【００１２】
また、本発明の他の特徴は、前記所定の音域に属する鍵にそれぞれ組み付ける係合部材は、支持部材との係合部が前後方向にずれた互いに種類の異なる部材であって、前記係合部材の種類を識別する識別子を前記係合部材に設けたことにある。これによれば、前記係合部材の違いが僅かであっても、一見して係合部材を種類ごとに識別できるので、鍵盤装置の組み立て性を向上させることができる。
【００１３】
また、本発明の他の特徴は、支持部材は、フレームに組み付けられていることにある。これによれば、フレームを複数種類の鍵盤装置において共通に用いることができる。これによっても、複数種類の鍵盤装置全体として初期費用を削減できる。また、部品の種類を減らすことができるので、部品の管理費を削減できる。
【００１４】
また、本発明の他の特徴は、フレームに、同一形状の凹凸を前後方向に繰り返し形成した第２凹凸部を設け、支持部材を、第２凹凸部に嵌合させたことにある。これによれば、支持部材の位置ずれを防止して、各鍵の揺動中心の前後方向の位置を正確に設定することができる。
【００１５】
また、本発明の他の特徴は、隣り合う２つの鍵を支持する支持部材をそれぞれ組み付ける隣り合う２つの第２凹凸部をそれぞれ構成する凹凸の前後方向の位置が一致しないように、前記凹凸を前後方向にずらしたことにある。これによれば、隣り合う２つの鍵において、支持部材の位置を、凹凸のピッチよりも小さな距離だけずらすことができる。すなわち、揺動中心から鍵の先端までの距離をより微妙に調整できる。
【００１６】
また、本発明の他の特徴は、複数の鍵に割り当てられた音高を表す識別子を、複数の鍵にそれぞれ設けたことにある。割り当てられた音名が異なっていても、外形が互いに近似している鍵もある。とくに黒鍵は、音名が異なっていても、外形は同一である。そこで、上記のように識別子を設けておけば、一見して割り当てられている音名を識別できるので、鍵盤装置の組み立て性を向上させることができる。
【図面の簡単な説明】
【００１７】
【図１】本発明の第１実施形態に係る鍵盤装置の全体概略図である。
【図２】図１の鍵盤装置の後端部の拡大図である。
【図３】図１の鍵盤装置の白鍵についての右側面図である。
【図４】図１の鍵盤装置の黒鍵についての右側面図である。
【図５】図３のＡ−Ａ断面図である。
【図６】質量体の質量の特性を示す特性図である。
【図７】鍵タッチ感の特性を示す特性図である。
【図８】本発明の第２実施形態に係る鍵盤装置の後端部の拡大図である。
【図９】図８の鍵盤装置の白鍵についての右側面図である。
【図１０】図８の鍵盤装置の黒鍵についての右側面図である。
【図１１】図９のＡ−Ａ断面図である。
【図１２】本発明の変形例に係る鍵盤装置の全体概略図である。
【図１３】本発明の他の変形例に係る鍵盤装置の全体概略図である。
【図１４Ａ】本発明の第１実施形態の変形例に係る鍵の後端部の拡大側面図である。
【図１４Ｂ】図１４ＡのＡ−Ａ断面図である。
【図１５Ａ】本発明の第２実施形態の変形例に係る鍵の後端部の拡大側面図である。
【図１５Ｂ】図１５ＡのＡ−Ａ断面図である。
【図１６】本発明の第２実施形態の変形例に係る鍵の凹凸部の拡大図である。
【図１７Ａ】第１係合部材及び第１支持部材を組み付けた例を示す概略図である。
【図１７Ｂ】第１係合部材及び第１支持部材の側面図である。
【図１８Ａ】第２係合部材及び第２支持部材を組み付けた例を示す概略図である。
【図１８Ｂ】第２係合部材及び第２支持部材の側面図である。
【図１９Ａ】第３係合部材及び第３支持部材を組み付けた例を示す概略図である。
【図１９Ｂ】第３係合部材及び第３支持部材の側面図である。
【発明を実施するための形態】
【００１８】
（第１実施形態）
以下、本発明の第１実施形態について図面を用いて説明する。以下の説明では、演奏者に近い側を「前側」とし、演奏者から遠い側を「後側」とする。また、高音部側を「右側」とし、低音部側を「左側」とする。また、音高を音名（Ｃ，Ｃ＃，Ｄ・・・Ｂ）及びオクターブ番号（「３」〜「６」）を用いて表記する。
【００１９】
この鍵盤装置は、図１乃至図５に示すように、複数の白鍵１１ｗ及び複数の黒鍵１１ｂを有している。白鍵１１ｗ及び黒鍵１１ｂには、それぞれ音高が割り当てられている。以下、白鍵１１ｗ及び黒鍵１１ｂの説明において、割り当てられた音高を特定する必要があるときは、符号に音高を付して、白鍵１１ｗ（Ｃ３），黒鍵１１ｂ（Ｃ＃３）・・・白鍵１１ｗ（Ｃ６）のように表記する。
【００２０】
白鍵１１ｗは、白鍵の音名ごと（すなわち、Ｃ、Ｄ、Ｅ、Ｆ、Ｇ、Ａ及びＢ）に樹脂成形により一体的に形成された鍵基材１１Ｗ（Ｃ）〜鍵基材１１Ｗ（Ｂ）の後端部を加工して形成される。鍵基材１１Ｗ（Ｃ）〜鍵基材１１Ｗ（Ｂ）は、それぞれ前部及び後部からなる。後部の左右方向の幅は、前部の左右方向の幅に比べて狭い。後部は、前部の後端から後方へ延設されていて、割り当てられた音名によって、後部と前部との左右方向の接続位置が異なる。すなわち、鍵基材１１Ｗの外形は、割り当てられた音名ごとに異なる。後部の構成は、鍵基材１１Ｗ（Ｃ）〜鍵基材１１（Ｂ）について共通である。そこで、以下、鍵基材１１Ｗ（Ｃ）〜鍵基材１１Ｗ(Ｂ)を鍵基材１１Ｗとして説明する。ただし、割り当てられた音名を特定する必要があるときは、符号に音名を付して説明する。
【００２１】
鍵基材１１Ｗの後部は、前部の上面と平行であって、前部の上面よりも低い位置に形成された平面状の水平部Ｈを有する。この水平部Ｈの左右端から上下に延設された側壁部Ｓが形成されている。すなわち、鍵基材１１Ｗの後部における、鍵基材１１Ｗの長手方向に垂直な断面の形状は前後方向の位置に関わらず同一である。白鍵１１ｗは、鍵基材１１Ｗの水平部Ｈを加工して、上下に貫通する貫通孔ｓｋを設けて形成される。
【００２２】
黒鍵１１ｂも、白鍵１１ｗと同様に、樹脂成形により一体的に形成された鍵基材１１Ｂの後端部を加工して形成される。鍵基材１１Ｂは、全ての黒鍵１１ｂについて共通である。鍵基材１１Ｂは、それぞれ前部及び後部からなる。後部の左右方向の幅は、前部の左右方向の幅と同一である。鍵基材１１Ｂの後部は、前部の上面と平行であって、前部の上面よりも低い位置に形成された平面状の水平部を有する。この水平部の左右端から上下に延設された側壁部が形成されている。すなわち、鍵基材１１Ｂの後部における、鍵基材１１Ｂの長手方向に垂直な断面の形状は、前後方向の位置に関わらず同一である。黒鍵１１ｂは、鍵基材１１Ｂの水平部を加工して、上下に貫通する貫通孔ｓｋを設けて形成される。貫通孔ｓｋの前後方向の位置は、形成する白鍵１１ｗ及び黒鍵１１ｂに割り当てられた音高によって予め決められている。本実施形態においては、低音側の鍵から高音側の鍵に向かうに従って、貫通孔ｓｋの位置が鍵の前端側に徐々に近づくように設定されている。
【００２３】
つぎに、上記のようにして形成された白鍵１１ｗ及び黒鍵１１ｂの他の部分の構成について説明する。白鍵１１ｗの前部（すなわち、鍵基材１１Ｗの前部）は、前後方向に延設された薄肉の上壁及び上壁の左右端からそれぞれ下方へ延設された薄肉の側壁を有し、下方に開放した中空状に形成されている。上記のように、白鍵１１ｗの外形は、割り当てられた音名によって異なるが、外形が互いに近似している白鍵１１ｗもある。また、割り当てられた音高によって貫通孔ｓｋの位置が異なる。そこで、白鍵１１ｗを割り当てられた音高ごとに識別するために、白鍵１１ｗの上面の後端部には、音高を表す識別子が設けられている。具体的には、鍵の後端部の上面に音高を印刷したラベルを貼り付けている。なお、鍵の上面に識別子を刻印してもよい。また、この識別子は、音高に対応した、簡単な図形、色彩などでもよい。また、本実施形態においては、白鍵１１ｗ（Ｃ６）にも識別子を設けている。しかし、白鍵１１ｗ（Ｃ６）は、前端から後端まで左右方向の幅が一定であって、他の鍵と混同する虞が無いので、白鍵１１ｗ（Ｃ６）には識別子を設けなくてもよい。
【００２４】
黒鍵１１ｂの前部（すなわち、鍵基材１１Ｂの前部）も、前後方向に延設された薄肉の上壁及び上壁の左右端からそれぞれ下方へ延設された薄肉の側壁を有し、下方に開放した中空状に形成されている。上記のように、黒鍵１１ｂは、割り当てられた音名が異なっていても、それらの外形は同一である。また、割り当てられた音高によって貫通孔ｓｋの位置が異なる。そこで、黒鍵１１ｂを割り当てられた音名ごとに識別するために、黒鍵１１ｂの上面の後端部には、音高を表す識別子が設けられている。すなわち、白鍵１１ｗの識別子と同様に、音高を印刷したラベルを貼り付けている。ただし、この場合も、鍵の上面に、識別子を刻印してもよい。また、この識別子は、音高に対応した簡単な図形、色彩などでもよい。
【００２５】
そして、次に説明する鍵フレーム１２に設けられた支持体ｓｆの上端部が貫通孔ｓｋに挿入されて、白鍵１１ｗ及び黒鍵１１ｂが支持される。
【００２６】
鍵フレーム１２は、樹脂成型により一体的に形成されている。鍵フレーム１２は、前後方向及び左右方向に延設された前板１２ａ及び後板１２ｂを有する。後板１２ｂの上面には、各鍵に対応した支持体ｓｆが設けられている。支持体ｓｆは、後板１２ｂの上面から上方へ突出するように形成されている。なお、支持体ｓｆは、鍵フレーム１２と一体的に設けられていてもよいし、鍵フレーム１２とは別部品として構成されていて、鍵フレーム１２に接着、溶着などにより組み付けられるようにしてもよい。支持体ｓｆは、貫通孔ｓｋに対応しているので、低音側から高音側へ向かうに従って、後板１２ｂの前端に徐々に近づくように配置されている。なお、図１において黒点で示す位置に、支持体ｓｆが設けられている。すなわち、この黒点で示す位置に、鍵の揺動中心が設けられる。
【００２７】
支持体ｓｆは、円柱状に形成されていて後板１２ｂに支持されたベース部ｓｆ１と、ベース部ｓｆ１の上端から上方へ延設された円柱状のピンｓｆ２からなる。ピンｓｆ２の直径は、貫通孔ｓｋの直径よりもやや小さい。また、ベース部ｓｆ１の上端は上に凸の曲面状に形成されている。
【００２８】
貫通孔ｓｋにピンｓｆ２を通すようにして、白鍵１１ｗ及び黒鍵１１ｂを、鍵フレーム１２に載置する。これにより、白鍵１１ｗ及び黒鍵１１ｂは、支持体ｓｆに支持され、白鍵１１ｗ及び黒鍵１１ｂの前端部が上下方向に揺動可能となっている。
【００２９】
前板１２ａ及び後板１２ｂには、下方に延設された複数のリブ１２ｄの上端部が一体的に接続されている。リブ１２ｄは、左右方向に薄肉で、前後方向に延設されており、左右方向に所定の間隔をおいて設けられている。また、リブ１２ｄは、前板１２ａの前端よりも前方へ張り出している。この張り出した部分に、後述のレール部１７，１９，２１が設けられる。
【００３０】
また、白鍵１１ｗの中間部から下方へ向かって駆動部１１ｗ１が延設されている。駆動部１１ｗ１は、上下に延設された薄肉の前壁及び前壁の左右端からそれぞれ後方へ延設された薄肉の側壁を有し、後方に開放した中空状に形成されている。駆動部１１ｗ１の下端は下端壁により閉じている。一方、黒鍵１１ｂも白鍵１１ｗと同様の駆動部１１ｂ１を有する。黒鍵１１ｂは、離鍵状態において白鍵１１ｗの上面よりも上方に突出した部分（以下、黒鍵１１ｂの見え掛り部という。）の前端から下方へ延設された後、僅かに前方へ湾曲させられた連結部を有し、この連結部の先端に、駆動部１１ｂ１の上端が接続されている。駆動部１１ｗ１と駆動部１１ｂ１の前後方向の位置は同一であり、駆動部１１ｗ１と駆動部１１ｂ１の下端壁の上下方向の位置も同一である。すなわち、駆動部１１ｗ１及び駆動部１１ｂ１は、黒鍵１１ｂの見え掛り部の前端よりも前方に位置する。前板１２ａの前方に設けられた上下に開口した開口部内にて、駆動部１１ｗ１及び駆動部１１ｂ１の下端部が、ハンマー１６ｗ及びハンマー１６ｂの前端部にそれぞれ係合している。
【００３１】
ハンマー１６ｗは、合成樹脂製の基部１６ｗ１と、金属製の連結棒１６ｗ２及び質量体１６ｗ３とからなる。ハンマー１６ｂは、ハンマー１６ｗと同様に、基部１６ｂ１、連結棒１６ｗ２及び質量体１６ｂ３からなる。基部１６ｗ１及び基部１６ｂ１は、板状の部材であって、右側面から左側面に貫通する貫通孔Ｈｗ及び貫通孔Ｈｂを有する。また、隣り合うリブ１２ｄの下端部を繋ぐようにして、レール部１７が延設されている。レール部１７は、前板１２ａ及び後板１２ｂに比べて前後方向の幅が狭い。レール部１７の上面には、上方に突出するようにして、ハンマー支持部１８ｗ及びハンマー支持部１８ｂが形成されている。ハンマー支持部１８ｗ及びハンマー支持部１８ｂは、それぞれ対向する２枚の板状に形成されていて、それぞれ内側に対向する突出部１８ｗ１及び突出部１８ｂ１を備えている。前記突出部１８ｗ１及び突出部１８ｂ１は、貫通孔Ｈｗ及び貫通孔Ｈｂにそれぞれ嵌合している。これにより、基部１６ｗ１及び基部１６ｂ１は、突出部１８ｗ１及び突出部１８ｂ１回りに回転可能に支持されている。すなわち、ハンマー１６ｗ及びハンマー１６ｂは、前端部及び後端部が上下方向に揺動可能に支持されている。ハンマー支持部１８ｗ及びハンマー支持部１８ｂの前後方向の位置は、全てのハンマー１６ｗ及びハンマー１６ｂについて共通である。
【００３２】
また、基部１６ｗ１は、前端部に上下一対の脚部Ｆｗ１及び脚部Ｆｗ２を備え、上側に位置する脚部Ｆｗ１は下側に位置する脚部Ｆｗ２より短く形成されている。基部１６ｂ１も、基部１６ｗ１と同様に、前端部に上下一対の脚部Ｆｂ１及び脚部Ｆｂ２を備えている。脚部Ｆｗ１と脚部Ｆｗ２の間には、駆動部１１ｗ１の下端壁が侵入しており、脚部Ｆｂ１と脚部Ｆｂ２の間には、駆動部１１ｂ１の下端壁が侵入している。脚部Ｆｗ１及び脚部Ｆｂ１は、それぞれ、駆動部１１ｗ１及び駆動部１１ｂ１の下端壁と、駆動部１１ｗ１及び駆動部１１ｂ１内であって、それぞれの下端壁との間に隙間を形成する中間壁との間に侵入している。駆動部１１ｗ１及び駆動部１１ｂ１の下端壁には、ゴム、ウレタン、フエルトなどの衝撃吸収材が嵌め込まれて固着されている。この衝撃吸収材は、駆動部１１ｗ１と脚部Ｆｗ２の上面との衝突、駆動部１１ｂ１の下端と脚部Ｆｂ２の上面との衝突、駆動部１１ｗ１の下端と脚部Ｆｗ１の下面との衝突、及び駆動部１１ｂ１の下端と脚部Ｆｂ１の下面との衝突による衝撃をそれぞれ緩和している。
【００３３】
基部１６ｗ１及び基部１６ｂ１の後端部に、連結棒１６ｗ２及び連結棒１６ｂ２の前端部がそれぞれ組み付けられている。連結棒１６ｗ２及び連結棒１６ｂ２は、それぞれ後方へ延設されている。連結棒１６ｗ２と連結棒１６ｂ２の後端の前後方向の位置は同一である。そして、次に説明する質量体１６ｗ３及び質量体１６ｂ３の後端が白鍵１１ｗ及び黒鍵１１ｂの後端よりも僅かに前方に位置するように、連結棒１６ｗ２及び連結棒１６ｂ２の長さが調整されている。
【００３４】
上記のように、割り当てられた音高によって、鍵の支点の位置が異なる。すなわち、音高によって、白鍵１１ｗの揺動中心から脚部Ｆｗ２における駆動部１１ｗ１との当接部Ｐｗ１までの距離が異なる。また、割り当てられた音高によって、黒鍵１１ｂの揺動中心から脚部Ｆｂ２における駆動部１１ｂ１との当接部Ｐｂ１までの距離が異なる。さらに、白鍵１１ｗにおいては、押離鍵操作される可能性のある位置の前端である押離鍵操作位置Ｗ０が当接部Ｐｗ１よりも前方に位置するのに対して、黒鍵１１ｂにおいては、押離鍵操作される可能性のある位置の前端（すなわち、見え掛り部の前端）である押離鍵操作位置Ｂ０が当接部Ｐｂ１の後方に位置している。したがって、全ての鍵について質量体１６ｗ３及び質量体１６ｂ３の質量が同一であれば、てこの原理によって、押離鍵操作位置Ｗ０，Ｂ０においては、低音部よりも中音部の鍵タッチ感が重く、中音部よりも高音部の鍵タッチ感がさらに重くなる。また、この場合、各音域における白鍵１１ｗと黒鍵１１ｂの鍵タッチ感が統一されない。すなわち、白鍵１１ｗの鍵タッチ感に比べて黒鍵１１ｂの鍵タッチ感の方が重くなる。そこで、図６に示すように、質量体１６ｗ３及び質量体１６ｂ３の質量を鍵ごとに調整して、図７に一点鎖線で示すように、押離鍵操作位置Ｗ０，Ｂ０における鍵タッチ感を、低音から高音へ向かうに従って徐々に軽くしている。したがって、図７に破線で示すように、押離鍵操作位置Ｗ０，Ｂ０からそれぞれ距離ｄだけ後方に位置する押離鍵操作位置Ｗ１，Ｂ１における鍵タッチ感も、低音から高音へ向かうに従って徐々に軽くなっている。ただし、上記のように、鍵の揺動中心から鍵の前端までの長さが鍵ごとに異なるので、押離鍵操作位置Ｗ０，Ｂ０における鍵タッチ感と、押離鍵操作位置Ｗ１，Ｂ１における鍵タッチ感との差は、低音から高音に向かうに従って大きくなる。
【００３５】
白鍵１１ｗ及び黒鍵１１ｂの離鍵時には、ハンマー１６ｗ及びハンマー１６ｂは、自重により、前端部が上方へ変位する。このとき、脚部Ｆｗ２及び脚部Ｆｂ２により駆動部１１ｗ１及び駆動部１１ｂ１がそれぞれ上方へ付勢され、白鍵１１ｗ及び黒鍵１１ｂの前端部はそれぞれ上方へ変位する。一方、白鍵１１ｗ及び黒鍵１１ｂの押鍵時には、駆動部１１ｗ１及び駆動部１１ｂ１の下端面が脚部Ｆｗ２及び脚部Ｆｂ２の上面をそれぞれ押圧し、ハンマー１６ｗ及びハンマー１６ｂの前端部がそれぞれ下方へ変位する。
【００３６】
また、隣り合うリブ１２ｄの前端部を繋ぐようにして、レール部１９が左右方向に延設されている。レール部１９の前後方向の幅は、前板１２ａ及び後板１２ｂの前後方向の幅に比べて狭い。レール部１９の上面から上方に突出するようにして、白鍵１１ｗの揺動をガイドするための鍵ガイド１９ｗが形成されている。鍵ガイド１９ｗは、白鍵１１ｗに下方から侵入しており、押離鍵時に鍵ガイド１９ｗの側面と白鍵１１ｗの側壁の内側の面が摺接するようになっている。これにより、押離鍵時の白鍵１１ｗの左右方向の微少な変位を抑制している。
【００３７】
また、隣り合うリブ１２ｄの上端部であって、黒鍵１１ｂの見え掛り部の前端部の下方に位置する部分を繋ぐようにして、レール部２１が左右方向に延設されている。レール部２１の前後方向の幅は、前板１２ａ及び後板１２ｂの前後方向の幅に比べて狭い。レール部２１の上面から上方に突出するようにして、黒鍵１１ｂの揺動をガイドするための鍵ガイド２１ｂが形成されている。鍵ガイド２１ｂは、黒鍵１１ｂに下方から侵入しており、押離鍵時に鍵ガイド２１ｂの側面と黒鍵１１ｂの側壁の内側の面が摺接するようになっている。これにより、押離鍵時の黒鍵１１ｂの左右方向の微少な変位を抑制している。
【００３８】
また、各リブ１２ｄの中間部には、上端から下方へ向かって方形状に切り欠いた、切り欠き１２ｄ１が設けられている。この切り欠き１２ｄ１を一体成型により形成するために、切り欠き１２ｄ１の上方に位置する前板１２ａの中間部には、上面から下面に貫通した方形状の貫通孔が設けられている。そして、前板１２ａの下面には、フエルトなどの衝撃吸収材によって構成した長尺状の下限ストッパ２２が、リブ１２ｄの切り欠き１２ｄ１を通って、左右方向に延設されて固着されている。この下限ストッパ２２は、押鍵時にハンマー１６ｗ及びハンマー１６ｂの後部に当接して、ハンマー１６ｗ及びハンマー１６ｂの後端部の上方への変位を規制することにより、白鍵１１ｗ及び黒鍵１１ｂの前端部の下方への変位を規制する。また、フレームＦＲの後部には、フエルトなどの衝撃吸収材によって構成した上限ストッパ２３が、固着されている。離鍵時において、質量体１６ｗ３及び質量体１６ｂ３の下面に当接して、ハンマー１６ｗ及びハンマー１６ｂの後端部の下方への変位を規制することにより、白鍵１１ｗ及び黒鍵１１ｂの前端部の上方への変位を規制する。
【００３９】
また、白鍵１１ｗ及び黒鍵１１ｂの中間部の下面には、スイッチ駆動部２４が設けられている。スイッチ駆動部２４は、基板２５上に配置されたスイッチＳＷの上面に当接している。スイッチＳＷは、鍵ごとに設けられ、各鍵の揺動に伴って押圧されて、各鍵の押離鍵状態を検出する。また、基板２５には、上面から下面に貫通した貫通孔が設けられている。この貫通孔の位置は、前板１２ａの上面に一体的に形成されたボス２６の位置に対応している。この貫通孔にねじを通してボス２６にねじ込むことにより、基板２５が、鍵フレーム１２に固定される。
【００４０】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００４１】
また、リブ１２ｄとレール部１７の接続部には、ボス２７が形成されている。電子楽器のフレームＦＲに貫通孔を設けておいて、この貫通孔にねじを下方から通して、ボス２７にねじ込むことにより、この鍵盤装置が電子楽器のフレームＦＲに固定される。
【００４２】
上記の第１実施形態に係る鍵盤装置においては、鍵基材１１Ｗ及び鍵基材１１Ｂの後端部であって、形成する鍵に割り当てられた音高に応じた位置に貫通孔ｓｋを設けるようにした。このように構成しておけば、適用する電子楽器の種類に応じて、貫通孔ｓｋを設ける位置を異ならせることにより、鍵タッチ感の特性の異なる鍵盤装置を構成できる。具体例については後述する。このように、鍵基材１１Ｗ及び鍵基材１１Ｂを、複数種類の鍵盤装置において共通に用いることができるので、前記複数種類の鍵盤装置全体として初期費用を削減できる。また、部品の種類を減らすことができるので、部品の管理費を削減できる。
【００４３】
また、鍵基材１１Ｗは、割り当てられた音名が同じであって、かつオクターブ番号が異なる白鍵１１ｗの形成に共通に用いられる。また、鍵基材１１Ｂは、すべての黒鍵１１ｂの形成に共通に用いられる。したがって、鍵基材１１Ｗは７種類であり、鍵基材１１Ｂは１種類であって、合計８種類の鍵基材を成形する金型を製作すればよく、これらの金型によって成形した鍵基材は、オクターブ番号が異なる鍵の形成に用いることができる。すなわち、上記のように構成すれば、揺動中心から前端までの距離が異なる鍵ごとに金型を製作する場合に比べて、初期費用を削減できる。
【００４４】
また、支持体ｓｆを鍵フレーム１２とは別の部品として構成すれば、鍵フレーム１２を複数種類の鍵盤装置において共通に用いることができる。これによっても、前記複数種類の鍵盤装置全体として初期費用を削減できる。また、部品の種類を減らすことができるので、部品の管理費を削減できる。
【００４５】
また、白鍵１１ｗ及び黒鍵１１ｂに割り当てられた音高を表す識別子を設けた。したがって、白鍵１１ｗ及び黒鍵１１ｂを鍵フレーム１２に組み付ける作業の作業性を向上させることができる。
【００４６】
（第２実施形態）
つぎに、本発明の第２実施形態について説明する。第２実施形態の白鍵１１ｗ及び白鍵１１ｂは、図８乃至図１０に示すように、鍵基材３１Ｗ及び鍵基材３１Ｂに係合部材ｅｋを組み付けて形成される。鍵基材３１Ｗ及び鍵基材３１Ｂの前部は、鍵基材１１Ｗ及び鍵基材１１Ｂの前部と同様の構成である。鍵基材３１Ｗ及び鍵基材３１Ｂの後部は、鍵基材１１Ｗ及び鍵基材１１Ｂの後部とは異なり、前後方向に延設された薄肉の上壁及び上壁の左右端からそれぞれ下方へ延設された薄肉の側壁を有し、下方に開放した中空状に形成されている。鍵基材３１Ｗの後部の上壁は、前部の上壁に連続している。鍵基材３１Ｂの後部の上壁の上下方向の位置は、黒鍵１１ｂとしての見え掛り部の下端に一致している。鍵基材１１Ｗ及び鍵基材１１Ｂの後部における、左右の側壁の内側面の上端部には、水平方向の断面形状が三角形の凹凸が前後方向に一定のピッチで繰り返し配列された凹凸部ＵＫが設けられている。各鍵基材の左側の凹凸部ＵＫと右側の凹凸部ＵＫをそれぞれ構成する凹部同士及び凸部同士の前後方向の位置は同一である。また、隣り合う鍵において、凹凸部ＵＫを構成する凹部同士及び凸部同士の前後方向の位置は同一である。なお、本実施形態においては、凹凸部ＵＫを構成する凹凸の水平方向の断面形状は三角形であるが、この断面形状は三角形に限られず、例えば、台形、矩形などであってもよい。
【００４７】
係合部材ｅｋは、図１１に示すように、直方体状の本体部ｅｋａ、本体部ｅｋａの左右の側面の前端部及び後端部から外側へ突出していて上下方向に延設された突出部ｅｋｂ、及び本体部ｅｋａの下面から下方へ延設された板状の係合部ｅｋｃを有する。係合部ｅｋｃには左右に貫通する貫通孔ｅｋｃ１が設けられている。そして、突出部ｅｋｂを、凹凸部ＵＫの凹部に嵌合させて接着することにより、係合部材ｅｋが、鍵基材に組み付けられる。係合部材ｅｋを組み付ける前後方向の位置は、形成する白鍵１１ｗ及び黒鍵１１ｂに割り当てられた音高によって予め決められている。本実施形態においては、第１実施形態と同様に、低音側の鍵から高音側の鍵に向かうに従って、係合部材ｅｋが鍵の前端側に徐々に近づくように、係合部材ｅｋを組み付ける位置が設定されている。
【００４８】
そして、係合部材ｅｋの係合部ｅｋｃが、鍵フレーム１２Ａに設けられた係合部材ｅｆに係合されて、白鍵１１ｗ及び黒鍵１１ｂが支持される。
【００４９】
鍵フレーム１２Ａは、鍵フレーム１２とほぼ同様に構成されている。鍵フレーム１２Ａは、鍵フレーム１２の支持部ｓｆに代えて、後板１２ｂの上面に、各鍵に対応した凹凸部ＵＦが設けられている。凹凸部ＵＦは、鍵基材に設けられている凹凸部ＵＫと同様の構成である。すなわち、隣り合う２つの凹凸部ＵＦをそれぞれ構成する凹部同士及び凸部同士の前後方向の位置は同一である。さらに、凹凸部ＵＫと凹凸部ＵＦをそれぞれ構成する凹部同士及び凸部同士の前後方向の位置も同一である。
【００５０】
係合部材ｅｆは、直方体状の本体部ｅｆａ、本体部ｅｆａの左右の側面の前端部及び後端部から外側へ突出していて上下方向に延設された突出部ｅｆｂ、及び本体部ｅｆａの上面から上方へ延設された左右一対の板状部からなる係合部ｅｆｃを有する。係合部ｅｆｃを構成する板状部の内側面には互いに対向するようにして突出部ｅｆｃ１がそれぞれ設けられている。そして、突出部ｅｆｂを、凹凸部ＵＦの凹部に嵌合させて接着することにより、係合部材ｅｆが、鍵フレーム１２Ａに組み付けられる。係合部材ｅｆは、係合部材ｅｋに係合するように、対応する鍵に割り当てられた音高によって予め決められた位置に組み付けられる。すなわち、本実施形態においては、低音側の鍵から高音側の鍵に向かうに従って、係合部材ｅｆが鍵の前端側に徐々に近づくように、係合部材ｅｆを組み付ける位置が設定されている。
【００５１】
係合部ｅｋｃの貫通孔ｅｋｃ１に、係合部ｅｆｃの突出部ｅｆｃ１を嵌合させることにより、白鍵１１ｗ及び黒鍵１１ｂは、係合部材ｅｆに支持され、白鍵１１ｗ及び黒鍵１１ｂの前端部が上下方向に揺動可能となっている。その他の構成は、第１実施形態と同様である。
【００５２】
上記の第２実施形態に係る鍵盤装置によっても、第１実施形態と同様の効果が得られる。さらに、第２実施形態に係る鍵盤装置においては、係合部材ｅｋ及び係合部材ｅｆを、凹凸部ＵＫ及び凹凸部ＵＦに嵌合させるようにしたので、係合部材ｅｋ及び係合部材ｅｆの位置ずれを防止して、各鍵の揺動中心の前後方向の位置を正確に設定することができる。
【００５３】
さらに、本発明の実施にあたっては、上記実施形態に限定されるものではなく、本発明の目的を逸脱しない限りにおいて種々の変更が可能である。
【００５４】
例えば、第１実施形態及び第２実施形態においては、低音側の鍵から高音側の鍵に向かうに従って、鍵の揺動中心が徐々に鍵の前端側に近づくようにした。しかし、鍵の揺動中心の位置は、目的とする鍵盤装置の鍵タッチの特性に応じて変更可能である。すなわち、例えば、図１２に示すように、黒鍵１１ｂの揺動中心が隣接する白鍵１１ｗの揺動中心よりも後方に位置するようにしてもよい。具体的には、近接する白鍵１１ｗ及び黒鍵１１ｂにおいて、揺動中心からそれぞれの鍵の前端までの距離がほぼ同等になるようにするとよい。この場合、第１実施形態の鍵盤装置における、黒鍵１１ｂの貫通孔ｓｋ及び支持体ｓｆを、隣接する白鍵１１ｗの貫通孔ｓｋ及び支持体ｓｆよりも後方に設ければよい。また、第２実施形態の鍵盤装置における、黒鍵１１ｂの係合部材ｅｋが、隣接する白鍵１１ｗの係合部材ｅｋよりも後方に位置するように、係合部材ｅｋを凹凸部ＵＫにそれぞれ組み付け、前記係合部材ｅｋにそれぞれ対応するように、黒鍵１１ｂの係合部材ｅｆが、隣接する白鍵１１ｗの係合部材ｅｆよりも後方に位置するように、係合部材ｅｆを凹凸部ＵＦにそれぞれ組み付ければよい。なお、図１２においては、鍵の揺動中心の位置を黒点で示している。
【００５５】
これによれば、近接する白鍵１１ｗと黒鍵１１ｂにおける揺動中心から鍵の前端までの距離を近似させたので、近接する白鍵１１ｗと黒鍵１１ｂの鍵タッチ感の違いをより小さくできる。
【００５６】
また、例えば、図１３に示すように、この鍵盤装置の全体の音域（Ｃ３〜Ｃ６）を、低音部Ｌ（Ｃ３〜Ｂ３）、中音部Ｍ（Ｃ４〜Ｂ４）及び高音部Ｈ（Ｃ５〜Ｃ６）の３つの音域に分割し、前記分割した各音域に属する鍵の揺動中心の前後方向の位置を同一にしてもよい。具体的には、第１実施形態においては、各音域に属する鍵を形成するための鍵基材に設ける貫通孔ｓｋの前後方向の位置を同一とするとともに、各音域に属するそれぞれの支持体ｓｆの前後方向の位置を同一とすればよい。また、第２実施形態においては、各音域に属する鍵を形成するための鍵基材に係合部材ｅｋの前後方向の位置が同一になるように各係合部材ｅｋを凹凸部ＵＫに組み付けるとともに、各音域に属する鍵を支持する係合部材ｅｆの前後方向が同一になるように、各係合部材ｅｆを凹凸部ＵＦに組み付ければよい。この場合、押離鍵操作位置Ｗ０，Ｂ０における鍵タッチ感と、押離鍵操作位置Ｗ１，Ｂ１における鍵タッチ感との差は、各音域内においては同一であり、低音域側から高音域側へ向かうに従って、前記鍵タッチ感の差が段階的に大きくなる。なお、図１３においても、鍵の揺動中心の位置を黒点で示している。
【００５７】
また、各鍵の揺動中心の前後方向の位置を全ての鍵について同一としてもよい。この場合、押離鍵操作位置Ｗ０，Ｂ０における鍵タッチ感と、押離鍵操作位置Ｗ１，Ｂ１における鍵タッチ感との差が、全ての鍵において同一である。
【００５８】
また、第１実施形態においては、鍵基材１１Ｗ及び鍵基材１１Ｂの後部に設けた水平部Ｈに上下に貫通する貫通孔ｓｋを設けた。これに代えて、図１４Ａ及び図１４Ｂに示すように、第２実施形態と同様に、鍵基材１１Ｗ及び鍵基材１１Ｂの後部を、前後方向に延設された薄肉の上壁及び上壁の左右端からそれぞれ下方へ延設された薄肉の側壁を有し、下方に開放した中空状に形成しておき、左右の側壁を切り欠いて、切り欠き部ｃｔを設けてもよい。切り欠き部ｃｔは、左右の側壁の下端から上方へ向かって側壁の中間部まで延設されている。また、切り欠き部ｃｔは、前後方向の幅が狭い。左右の側壁にそれぞれ形成された切り欠き部ｃｔは、互いに対向している。この場合、支持体ｓｆに代えて、支持体ｓｇを用いる。支持体ｓｇは、鍵フレーム１２の後板１２ｂに支持されるベース部ｓｇ１、ベース部ｓｇ１の上端の左右端部から上方に延設された互いに対向する左右一対の板状部ｓｇ２を有し、左右一対の板状部ｓｇ２には、対向するようにして貫通孔ｓｇ２ａが設けられている。貫通孔ｓｇ２ａには、ピンｓｇ３が挿入されている。ピンｓｇ３は、左右一対の板状部ｓｇ２の間隔よりも長く、ピンｓｇ３の両端部が、左右一対の板状部ｓｇ２から外側へ突出している。そして、このピンｓｇ３の両端部を、切り欠き部ｃｔに嵌合させることにより、鍵が揺動可能に支持されるようにすればよい。これによっても、上記第１実施形態と同様の効果が得られる。
【００５９】
また、図１５Ａ及び図１５Ｂに示すように、第２実施形態における係合部材ｅｋに代えて、係合部材ｅｊを用いてもよい。係合部材ｅｊは、円柱状に形成されていて、鍵基材１１Ｗ及び鍵基材１１Ｂの左右の側壁に対向するようにして設けられた貫通孔に挿入されて支持されている。この場合、係合部材ｅｆに代えて、係合部材ｅｇを用いる。係合部材ｅｇは、鍵フレーム１２の後板１２ｂに支持されるベース部ｅｇ１、ベース部ｅｇ１の上端の左右端部から上方に延設された互いに対向する左右一対の板状部ｅｇ２を有している。左右一対の板状部ｅｇ２の上端部には切り欠き部ｅｇ２ａがそれぞれ設けられている。切り欠き部ｅｇ２ａは、板状部ｅｇ２の上端から下方へ向かって板状部ｅｇ２の中間部まで延設されている。切り欠き部ｅｇ２ａの前後方向の幅は、係合部材ｅｊの直径よりもやや広い。また、左右一対の板状部ｅｇ２にそれぞれ形成された切り欠き部ｅｇ２ａは、互いに対向している。そして、係合部材ｅｊを、切り欠き部ｅｇ２ａに嵌合させることにより、鍵が揺動可能に支持される。これによっても、上記実施形態と同様の効果が得られる。
【００６０】
また、上記第２実施形態においては、全ての凹凸部ＵＫ及び凹凸部ＵＦにおいて、それぞれの凹凸部を構成する凹部同士及び凸部同士の前後方向の位置を同一とした。しかし、図１６に示すように、隣り合う鍵についての凹凸部ＵＫ及び凹凸部ＵＦの凹凸の位置をずらしてもよい。これによれば、隣り合う鍵において、係合部材ｅｋ及び係合部材ｅｆの前後方向の位置を、凹凸のピッチｐｔよりも小さな距離φだけずらすことができる。すなわち、揺動中心から鍵の先端までの距離をより微妙に調整できる。なお、図１６に示す例においては、一方の鍵の凹凸部の凹部と他方の鍵の凹凸部の凸部の位置が一致するようにしているが、この凹凸のずれの量は、これに限られず、ずれをより小さくしてもよいし、より大きくしてもよい。
【００６１】
また、上記第２実施形態においては、係合部材ｅｋ及び係合部材ｅｆは、全ての鍵について共通である。しかし、係合部の位置が前後方向に異なる複数種類の係合部材を用いてもよい。例えば、図１７Ａ乃至図１９Ｂに示すように、第１係合部材ｅｋ１乃至第３係合部材ｅｋ３、及び第１係合部材ｅｆ１乃至第１係合部材ｅｆ３を用いてもよい。第１係合部材ｅｋ１乃至第１係合部材ｅｋ３の本体部の構成は、第２実施形態の係合部材ｅｋの本体部ｅｋａと同様である。そして、第１係合部材ｅｋ１の係合部ｅｋ１ａは、第１係合部材ｅｋ１の本体部の下面の中央よりも僅かに前方に位置している。第２係合部材ｅｋ２の係合部ｅｋ２ａは、第２係合部材ｅｋ２の本体部の下面の中央に位置している。また、第３係合部材ｅｋ３の係合部ｅｋ３ａは、第３係合部材ｅｋ３の本体部の下面の中央よりも僅かに後方に位置している。第１係合部材ｅｋ１及び第３係合部材ｅｋ３の、本体部の下面の中央からのずれは、凹凸部ＵＫ及び凹凸部ＵＦを構成する凹凸のピッチｐｔよりも小さい。
【００６２】
上記の第１係合部材ｅｋ１乃至第３係合部材ｅｋ３の係合部に対応するようにして、第１係合部材ｅｆ１乃至第３係合部材ｅｆ３の係合部の位置が設定されている。すなわち、第１係合部材ｅｆ１の係合部ｅｆ１ａは、第１係合部材ｅｆ１の本体部の上面の中央よりも僅かに前方に位置している。第２係合部材ｅｆ２の係合部ｅｆ２ａは、第２係合部材ｅｆ２の本体部の上面の中央に位置している。また、第３係合部材ｅｋ３の係合部ｅｆ３ａは、第３係合部材ｅｆ３の本体部の上面の中央よりも僅かに後方に位置している。第１係合部材ｅｆ１及び第３係合部材ｅｆ３の、本体部の上面の中央からのずれは、凹凸部ＵＫ及び凹凸部ＵＦを構成する凹凸のピッチｐｔよりも小さい。
【００６３】
上記のように構成した第１係合部材ｅｋ１乃至第３係合部材ｅｋ３、及び第１係合部材ｅｆ１乃至第３係合部材ｅｆ３を、本体部の前後方向の位置がそれぞれ同一になるようにして、音高が連続する３つの鍵についての凹凸部ＵＫ及び凹凸部ＵＦにそれぞれ組み付ける。例えば、各凹凸部の後端から距離δだけ前方に位置する部位に組み付ける。これにより、前記３つの鍵の揺動中心の前後方向の位置の前後方向のずれを、凹凸部ＵＫ及び凹凸部ＵＦを構成する凹凸のピッチｐｔよりも小さくできる。すなわち、揺動中心から鍵の先端までの距離をより微妙に調整できる。この場合、第１係合部材ｅｋ１乃至第３係合部材ｅｋ３、及び第１係合部材ｅｆ１乃至第３係合部材ｅｆ３の違いは僅かなので、それぞれを識別するための識別子を設けるとよい。なお、係合部材の種類を２種類にしてもよいし、４種類以上にしてもよい。
【００６４】
また、上記実施形態及びその変形例における鍵盤装置の音域は３オクターブであるが、より音域の広い鍵盤装置であってもよいし、逆に、より音域の狭い鍵盤装置であってもよい。
【００６５】
また、上記実施形態及びその変形例においては、ハンマー１６ｗ及びハンマー１６ｂによって、それぞれ白鍵１１ｗ及び黒鍵１１ｂの前端側を上方へ付勢するようにした。しかし、ハンマー１６ｗ及びハンマー１６ｂに代えて、バネによって白鍵１１ｗ及び黒鍵１１ｂの前端を上方へ付勢してもよい。この場合、鍵ごとに、バネ定数及び離鍵状態におけるバネの付勢力を調整すればよい。
【００６６】
また、上記実施形態及びその変形例においては、低音部Ｌから高音部Ｈに向かうに従って、鍵の前端の鍵タッチ感を徐々に軽くしたが、必ずしもこのように構成する必要はなく、各音域における鍵の前端の鍵タッチ感を同一とし、高音域に向かうに従って、音域ごとに段階的に鍵タッチ感が軽くなるようにしてもよい。また、一部の音域においてのみ、音高順に鍵タッチ感が軽くなるようにしてもよい。
【符号の説明】
【００６７】
１１ｗ・・・白鍵、１１ｂ・・・黒鍵、１２・・・鍵フレーム、ｓｋ・・・貫通孔、切り欠き部・・・ｃｔ、ｓｆ，ｓｇ・・・支持部材、ｅｋ，ｅｆ，ｅｊ，ｅｇ・・・係合部材、ｅｋ１，ｅｆ１・・・第１係合部材、ｅｋ２，ｅｆ２・・・第２係合部材、ｅｋ３，ｅｆ３・・・第３係合部材、ＵＫ，ＵＦ・・・凹凸部、ＦＲ・・・フレーム
【図１】
0005853484.tif 000002
【図２】
0005853484.tif 000003
【図３】
0005853484.tif 000004
【図４】
0005853484.tif 000005
【図５】
0005853484.tif 000006
【図６】
0005853484.tif 000007
【図７】
0005853484.tif 000008
【図８】
0005853484.tif 000009
【図９】
0005853484.tif 000010
【図１０】
0005853484.tif 000011
【図１１】
0005853484.tif 000012
【図１２】
0005853484.tif 000013
【図１３】
0005853484.tif 000014
【図１４Ａ】
0005853484.tif 000015
【図１４Ｂ】
0005853484.tif 000016
【図１５Ａ】
0005853484.tif 000017
【図１５Ｂ】
0005853484.tif 000018
【図１６】
0005853484.tif 000019
【図１７Ａ】
0005853484.tif 000020
【図１７Ｂ】
0005853484.tif 000021
【図１８Ａ】
0005853484.tif 000022
【図１８Ｂ】
0005853484.tif 000023
【図１９Ａ】
0005853484.tif 000024
【図１９Ｂ】
0005853484.tif 000025